(57)【特許請求の範囲】
【請求項１】
外容器と；
前記外容器の内部に結合され内容物を収容し、その内部で内容物の使用によって上昇するピストンが備えられる内容器と；
前記外容器の上部を覆って結合され、ポンピングを支持する支持体と；
前記支持体と結合し、ポンピング作用によって内容物を排出するポンピング部材と；
前記ポンピング部材の上部に位置してポンピング部材を加圧し、内容物が移動するよう内容物移動ホールが形成されるボタン部と；
前記ボタン部の上部に位置して、内容物移動ホールを通じた移動内容物を吸収する内容物吸収部材と；および
前記ボタン部および内容物の吸収部材を覆って結合され、ユーザー加圧によってボタン部へ圧力を伝達し、前記内容物吸収部材が外部露出になるよう中空が形成されるボタンキャップと；を含むことを特徴とするクリームタイプ真空化粧品容器。
【請求項２】
前記ボタン部と内容物の吸収部材の間には、前記ボタン部の内容物を移動ホールと繋がり、内容物の移動ホールを通じて移動する内容物を内容物吸収部材に伝達するように、多数の内容物吐出ホールが形成された内容物吐出部材の具備を特徴とする請求項１に記載のクリームタイプ真空化粧品容器。
【請求項３】
前記ボタンキャップの上部には、内側方向に延長となり、前記内容物の吸収部材の上部を加圧する加圧部が形成され、前記加圧部の下端には、前記内容物の吸収部材を固定する為の固定突起が形成されることを特徴とする請求項１に記載のクリームタイプ真空化粧品容器。
【請求項４】
前記の内容物吸収部材はパフ、スポンジ、フォーム（ｆｏａｍ）、ブラシの中、いずれのひとつを含むことを特徴とする請求項１に記載のクリームタイプ真空化粧品容器。
【発明の詳細な説明】
【技術分野】
【０００１】
本発明は、クリームタイプ真空化粧品容器に関することで、より詳細には、ボタン部の上部に吐出される内容物を吸収する内容物吸収部材を設置して、内容物吸収部材に吸収された内容物を必要な分だけ手または化粧品の塗布手段につけて使用できるようにすることで、内容物の不要な消耗を防止できるクリームタイプ真空化粧品容器に関することである。
【背景技術】
【０００２】
このような一般的に、栄養クリームやマッサージクリーム、アイクリームまたはファンデーションのようなクリームタイプの化粧品は、油分が多いため、化粧水や乳液のような低粘度の化粧品に比べて易しく変質することは、すでに周知の事実であり、クリームタイプの化粧品は、手で分けて使うよう比較的に入口が広い容器に盛って提供されることにより、空気との接触によって酸化する可能性が高いだけでなく、手についた異物質や水分等により、酸化の可能性もある。
【０００３】
これらの欠点を補完するために密閉された状態でも、内容物を一定量吐出し使用できるよう真空化粧品容器が既に広く普及しており、特に内容物を手で直接吐出させず皿形状のボタンを提供して、所定の内容物がたまるようにした状態で使用できるように提供している。
【０００４】
このような、従来の皿形状のボタンが備えられた真空化粧品容器が、図１に図示されている。図１を参照すると、従来の皿形状のボタンが備えられた真空化粧品容器は、化粧品のような内容物を貯蔵する容器本体（１１）が備えられ、この容器本体（１１）の上端には、内容物を一定量にポンピングして吐出するためのディスペンサー（１２）が備えられ、このディスペンサー（１２）の上部には、皿形状を形成するボタン（１３）が結合されている。
【０００５】
このような構成において、前記ディスペンサー（１２）は、前記容器本体（１１）の上端に結合される  シリンダー（１４）と、このシリンダー（１４）に形成された吸入ボール（１５）の内壁面に備えられ、前記ボタン（１３）がスプリング（１６）によって、繰り返してポンピング可能なように備えられたピストン（１７）を含んで構成されている。
【０００６】
また、前記吸入ホール（１５）の下端には、チェックバルブ（１８）が備えられ、前記ピストン（１７）には、前記吸入ホール（１５）に連通されて内容物が流出されるように流出路が形成されたピストンロッド（１９）が備えられ、前記ボタン（１３）には、前記ピストンロッド（１９）が挿入される貫通ホール（２０）が中央部に形成されているだけでなく、この貫通ホール（２０）には、外部圧によって弾性変形した隙間を形成するよう軟質の合成樹脂で製作された補助キャップ（２１）が備えられている。
【０００７】
前記のような構成で形成された皿形状のボタンが備えられた真空化粧品容器はボタン（１３）の上端部が中央部へ行くに連れ、陥没した皿形状で形成され、ボタン（１３）の上端へ吐出される内容物を手または化粧用の塗布手段につけて使用するように構成されることで、ボタン（１３）加圧による一回のポンピング作動により、一定量の内容物がボタン（１３）の上端部に吐出すように構成され、ユーザー毎に内容物の使用量が異なるため、特定のユーザーには、一回ポンピング作動による吐出量が、使用したい量より多い場合が発生するようになる。
【０００８】
この時、必要量より、多く吐出された内容物については、使用せず捨てたり、無理に皮膚に塗布をするなど、不要に内容物が消耗され、結局ユーザーの費用負担をもたらす問題点があった。
【発明の概要】
【発明が解決しようとする課題】
【０００９】
本発明は、上述した問題点を解決するために案出されたことで、本発明の目的は、ボタン部の上部に吐出される内容物を吸収する内容物の吸収部材を設置して、内容物の吸収部材に吸収された内容物を必要な分だけ手または、化粧品の塗布手段につけて使用することが出来るようにすることで、  内容物の不要な消耗を防止できるクリームタイプ真空化粧品容器を提供することである。
【００１０】
また、内容物吐出部材に多数の吐出ホールを形成して、内容物吸収部材に均等に内容物が吸収されることが可能となるので、使用上、便宜性持ちのクリームタイプ真空化粧品容器を提供することである。
【課題を解決するための手段】
【００１１】
前記のような問題点を解決するため、本発明によるクリームタイプ真空化粧品容器は、外容器と；前記外容器の内部に結合されて内容物を収容し、その内部に内容物の使用によって上昇するピストンが備えられる内容器と；前記外容器の上部を覆って結合され、ポンピング部材を支持する支持体と；前記支持体に結合され、ポンピング作用によって内容物を排出するポンピング部材と；前記ポンピング部材の上部に位置してポンピング部材を加圧し、内容物を移動するよう内容物移動ホールが形成されるボタン部と；前記ボタン部の上部に位置して内容物移動ホールを通じて移動する内容物を吸収する内容物吸収部材と；および前記ボタン部および内容物吸収部材を覆って結合され、ユーザー加圧によってボタン部へ圧力を伝達し、前記内容物吸収部材が外部に露出されるように中空を形成するボタンキャップ；を含むことを特徴とする。
【００１２】
また、前記ボタン部と内容物吸収部材の間には、前記ボタン部の内容物移動ホールと連通され、内容物移動ホールを通じて移動する内容物を内容物吸収部材に伝達するように、多数の内容物吐出ホールを形成した内容物吐出部材が備えられることを特徴とする。
【００１３】
また、前記ボタンキャップの上端には、内側方向へ延長され、前記内容物吸収部材の上端を加圧する加圧部が形成され、前記加圧部の下端には、前記内容物吸収部材を固定させるための固定突起が形成されることを特徴とする。
【００１４】
また、前記の内容物吸収部材はパフ、スポンジ、フォーム（ｆｏａｍ）、ブラシの中、いずれのひとつを含むことを特徴とする。
【発明の効果】
【００１５】
以上、上述したように、本発明によれば、ボタン部の上部に吐出される内容物を吸収する内容物吸収部材を設置して内容物吸収部材に吸収された内容物を、必要な分だけ手または化粧品の塗布手段につけて使用できるようにすることで、  内容物の不要な消耗を防止できる長所がある。
【００１６】
また、内容物吐出部材に多数の吐出ホールを形成して、内容物を吸収部材に均等に内容物の吸収されることが可能となり、使用上の便宜性を提供できる長所がある。
【図面の簡単な説明】
【００１７】
【図１】従来技術のクリームタイプ真空化粧品容器の構成を示す断面図である。
【図２】本発明の望ましい実施例に係るクリームタイプ真空化粧品容器の構成を示す分解断面図である。
【図３】本発明の望ましい実施例に係るクリームタイプ真空化粧品容器の構成を示す結合断面図である。
【図４】本発明の望ましい実施例に係るクリームタイプ真空化粧品容器の動作状態を示す状態図である。
【発明を実施するための形態】
【００１８】
以下、図面を参照して、本発明を詳細に説明する。各図面に提示された同一参照符号は同一部材を示す。
【００１９】
図２は、本発明の望ましい実施例に係るクリームタイプ真空化粧品容器の構成を示す分解断面図であり、図３は、本発明の望ましい実施例に係るクリームタイプ真空化粧品容器の構成を示す結合断面図であり、図４は、本発明の望ましい実施例に係るクリームタイプ真空化粧品容器の作動状態を示す状態図である。
【００２０】
図２〜４を参照すると、本発明の望ましい実施例に係るクリームタイプ真空化粧品容器は、外容器（１００）、内容器（２００）、支持体（３００）、ポンピング部材（４００）、ボタン部（５００）、内容物吸収部材（６００）、ボタンキャップ（７００）が含まれる。
【００２１】
前記外容器（１００）は、内容器（２００）を収容することで、その上部には、後述する内容器（２００）との結合が可能なように結合突起（１１１）を形成した結合部（１１０）が備えられる。
【００２２】
前記内容器（２００）は、前記外容器（１００）の内部に挿入され、内容物を収容するもので、その内部に内容物の使用によって上昇するピストン（２１０）が備えられ、前記内容器（２００）の下端には、外容器（１００）と内容器（２００）が形成する空間を通じて流入された空気が内容器（２００）の内部へ移動し、ピストン（２１０）を上昇させることが可能なように空気流入ホール（２２０）が形成される。
【００２３】
前記内容器（２００）の上部には、前記外容器（１００）に結合されることが可能なように、外側方向へ折り曲げられて結合部（１１０）に結合される折曲部（２３０）を形成し、前記折曲部（２３０）には、外容器（１００）の結合部（１１０）に結合された後、上方向に脱離されることを防止するよう前記結合突起（１１１）の下端に当接する係止部（２３１）を形成することが望ましい。
【００２４】
前記支持体（３００）は、前記外容器（１００）および内容器（２００）の上部を覆って結合され、ポンピング部材（４００）を支持することで、前記支持体（３００）の中央部には、ポンピング部材（４００）を支持し、ポンピング部材（４００）のピストンロッドおよびピストンロッドの外周面に結合される、シールキャップが昇下降されるシリンダー（３１０）が備えられ、前記シリンダー（３１０）の下端には、ポンピング部材（４００）の作動の際、内容器（２００）に収容された内容物が流入されるよう内容物流入ホール（３１１）を形成し、前記内容流入ホール（３１１）の上端には、ポンピング部材（４００）の作動可否によって、開閉されるチェックバルブ（３１２）を設置する。
【００２５】
また、前記支持体（３００）には、ボタン部（５００）の昇下降の際、ねじりを防止して、垂直移動を案内するようにガイド溝（３２１）を成す突出部（３２０）が形成される。
【００２６】
一方、前記支持体（３００）には、ボタンキャップ（７００）を覆って、前記支持体（３００）に着脱可能なようにオーバーキャップ（９００）が結合され、前記オーバーキャップ（９００）は、前記ボタンキャップ（７００）を覆って結合され、ボタンキャップ（７００）の加圧によるポンピング部材（４００）の誤作動を防止することとなる。
【００２７】
前記ポンピング部材（４００）は、前記支持体（３００）のシリンダー（３１０）に結合され、ポンピング作動により、内容物を排出することで、本発明が属する技術分野で公知技術なので、詳細な説明は、省略する。
【００２８】
前記ボタン部（５００）は、前記ポンピング部材（４００）の上部に結合され、ユーザーの操作によるボタンキャップ（７００）の加圧によって励起部材（４００）を加圧してポンピング作動を可能とすることで、その中央部には、ポンピング部材（４００）のポンピング作動による内容物の移動が可能なように内容物移動ホール（５１０）が形成される。
【００２９】
前記ボタン部（５００）には、前記ガイド溝（３２０）内で移動し、ボタン部（５００）の垂直移動をガイドするガイド突起（５２０）が形成される。
【００３０】
前記の内容物吸収部材（６００）は、前記ボタン部（５００）の上部に位置して、内容物移動ホール（５１０）を通じて移動する内容物を吸収し、ユーザーが手または化粧品塗布手段を用いて内容物をつけて使用可能にすることで、パフ、スポンジ、フォーム（ｆｏａｍ）、ブラシなど内容物を吸収できる多様な種類で構成されることができ、内容物を吸収しやすいよう多孔性製品で構成されることが望ましい。
【００３１】
前記の内容物吸収部材（６００）は、吸収された内容物をすべて使用せず、オーバーキャップ（９００）を閉じる場合、内容物が吸収された状態が続き、次回に再利用する場合、別途のポンピング作用をしなくても、手または化粧用塗布手段を用いて吸収された内容物の使用が可能となる。
【００３２】
＊もし、内容物吸収部材（６００）に吸収された内容物が足りない場合、再びボタンキャップ（７００）の加圧を利用したポンピング作用で内容物吸収部材（６００）に内容物を再吸収させ使用する。
【００３３】
前記ボタンキャップ（７００）は、前記ボタン部（５００）および内容物吸収部材（６００）を覆って結合され、ユーザー加圧によってボタン部（５００）へ圧力を伝達してポンピング部材（４００）のポンピング作動を可能とすることで、ユーザーが内容物吸収部材（６００）に吸収された内容物を使用できるよう内容物吸収部材（６００）を外部へ露出させる中空（７１０）が形成される。
【００３４】
前記ボタンキャップ（７００）の上端には、内容物吸収部材（６００）が上方向へ離脱することを防止するよう内側方向へ延長とし、内容物吸収部材（６００）の上端を加圧する加圧部（７１０）が形成され、前記加圧部（７１０）の下端には、内容物吸収部材（６００）を固定するための固定突起（７１１）形成が望ましい。
【００３５】
一方、前記のボタン部（５００）と内容物吸収部材（６００）との間には、前記ボタン部（５００）の内容物移動ホール（５１０）が繋がり、内容物移動ホール（５１０）を通じて移動する内容物を、内容物吸収部材（６００）に伝達する内容物吐出部材（８００）が備えられ、本発明において、前記内容物吐出部材（８００）には、前記内容物吸収部材（６００）の全体面に均一に内容物が吸収されることができるよう多数の内容物吐出ホール（８１０）が一定距離を置きながら形成されることを特徴とする。
【００３６】
前記の内容物吐出部材（８００）は、多数の内容物吐出ホール（８１０）に円滑に内容物の移動ができるよう前記ボタン部（５００）から小幅の距離を置くと共に、内容物の移動する空間形成が望ましい。
【００３７】
以下では、図４を参照して、本発明の望ましい実施例に係るクリームタイプ真空化粧品容器の作動過程を説明する。図４は、本発明の望ましい実施例に係るクリームタイプ真空化粧品容器の作動状態を示す状態図である。
【００３８】
図４を参照すると、本発明の望ましい実施例に係るクリームタイプ真空化粧品容器は、ボタンキャップ  （７００）を加圧するようになると、ボタンキャップ（７００）の下部に結合されているボタン部（５００）が下方向へ移動するようになり、ボタン部（５００）の下方向移動によってポンピング部材（４００）のポンピング作動が行われ、シリンダー（３１０）に貯蔵された内容物がボタン部（５００）の内容物移動ホール（５１０）を経て、内容物吐出部材（８００）に移動するようになり、内容物吐出部材（８００）に形成された多数の内容物吐出ホール（８１０）を通じて内容物の吐出が行われる。
【００３９】
前記のように、多数の内容物吐出ホール（８１０）を通じて内容物の吐出が行われると、内容物吐出部材（８００）の上部に位置する内容物吸収部材（６００）に、内容物の吸収が行われ、内容物の吸収部材（６００）に吸収された内容物を、手または化粧品の塗布手段につけて使用可能となる。
【００４０】
図面と明細書で最適の実施例が開示された。ここで特定の用語らが用いられたが、これは単に本発明を説明する目的であり、意味の限定や特許請求の範囲に記載された本発明の範囲を制限する目的で用いられたのではない。従って、当該技術分野の通常の知識を持つ者であれば、多様な変形及び均等な他の実施例が可能であることを理解すべきである。したがって、本発明の真の技術的保護範囲は、添付された特許請求の範囲の技術的思想によって定められるべきである。
【図１】
0006277561.tif 000002
【図２】
0006277561.tif 000003
【図３】
0006277561.tif 000004
【図４（ａ）】
0006277561.tif 000005
【図４（ｂ）】
0006277561.tif 000006